(57)【要約】      （修正有）【課題】回路板の上方における高さを下げる上で、弾力回復性をそのまま維持することができる板ばね及び板ばね付き回路板を提供する。【解決手段】上下両端部１１１，１１２を有するループ形で該上下両端部１１１，１１２間において開かれた連続部１１と、該連続部１１の前記上下両端部１１１，１１２からそれぞれ前記開かれた連続部１１の開口側へほぼ同一の方向に延びてなる上下２枚の板１２，１３を有するように、可撓性薄板を曲げてなった板ばねにおいて、前記連続部１１は、その前記下板１３と連続している前記下端部より前記開口側の反対側へ延びて前記下板１３の平面の延長面の下方へ曲がってから上がり、前記上端部１１１に至るように形成されたことを特徴とする、板ばね及びそれを備えている板ばね付き回路板を提供する。【選択図】図３
0003100701.tif 000002
【実用新案登録請求の範囲】
【請求項１】
上下両端部を有するループ形で該上下両端部間において開かれた連続部と、該連続部の前記上下両端部からそれぞれ前記開かれた連続部の開口側へほぼ同一の方向に延びる上下２枚の板とを有するように、可撓性薄板を曲げて形成された板ばねにおいて、
前記連続部は、その前記下板と連続している前記下端部より前記開口側の反対側へ延びて前記下板の平面の延長面の下方へ曲がってから上がり、前記上端部に至るように形成されたことを特徴とする、板ばね。
【請求項２】
前記連続部は、全体が前記上板の平面の延長面の下方にあり、前記連続部のループの形状が側面円弧状であり、
また、前記上下２枚の板はそれぞれ平板状であり、且つ該上下２枚の板が挟んでなる隙間は前記上下両端部の側より段々外へ向かうに従って拡大していくことを特徴とする、請求項１に記載の板ばね。
【請求項３】
前記上板は、前記下板より長く延伸し且つ曲がって、該下板の下方まで延伸したことを特徴とする、請求項２に記載の板ばね。
【請求項４】
請求項１の板ばねを、少なくとも平面状の上面と端縁とを有する回路板に設置してなる板ばね付き回路板であって、
前記下板が、その下面において前記回路板の上面に敷設され、前記連続部全体が前記回路板の端縁外に突出している、板ばね付き回路板。
【請求項５】
請求項３の板ばねを、少なくとも平面状の上面と端縁と該上面から上下貫通した通孔とを有する回路板に設置してなる板ばね付き回路板であって、
前記下板が、その下面において前記回路板の上面に敷設され、前記連続部全体が前記回路板の端縁外に突出し、且つ、前記上板の自由端縁が前記通孔内に挿入している、板ばね付き回路板。
【請求項６】
請求項１の板ばねを、少なくとも平面状の上面と該上面から上下貫通した通孔とを有する回路板に設置してなる板ばね付き回路板であって、
前記下板が、その下面において前記回路板の上面に敷設され、前記連続部全体が前記上面から前記通孔の前記平面状の上面の延長面の範囲内に緩挿している、板ばね付き回路板。
【考案の詳細な説明】
【技術分野】
【０００１】
本考案は、板ばね及び板ばね付き回路板に関し、特に、例えば回路板の接続に用いられる板ばね及びそれを備えていて接続に用いられる板ばね付き回路板に関する。
【背景技術】
【０００２】
一般的には、エレクトロニクス業界で使用されている板ばねは、銅などの金属板材を折ってなるものを、表面実装（ＳＭＴ）の方法で回路板に溶接してその材料自体の弾力によって回路板を電子デバイスと電気的に接続させ、それにより、回路板を介して電子デバイスを接地（Ｇｒｏｕｎｄｉｎｇ）させたり電磁干渉（ＥＭＩ，ｅｌｅｃｔｒｏ−ｍａｇｎｅｔｉｃ ｉｎｔｅｒｆｅｒｅｎｃｅ）から保護したりしながら、接続間に緩衝作用を与えるものである。
【０００３】
図１及び図２に示すものは、従来の板ばねの一例である。図示の板ばね４は、上下両端部４１１，４１２を有するループ形で該上下両端部の間において開かれた連続部４１と該連続部４１の前記上下両端部からそれぞれ前記開かれた連続部４１の開口側へほぼ同一の方向に延びてなる上下２枚の板４２，４３を有するように、可撓性薄板を曲げて形成されている。前記連続部４１は、前記下板４３と連続している前記下端部４１２より前記開口側の反対側へ延びて前記下板４３平面の延長面の上方へ円弧状を描いて曲がり、前記上端部４１１となっている。前記上下２枚の板４２，４３はそれぞれ平板状であり、且つ該上下２枚の板４２，４３が挟んでなる開口４０は前記上下両端部の方より段々外へ向かうに従って拡大していく。前記板ばね４の前記下板４３が表面実装の方法で回路板５の上面に溶接されており、且つ、前記連続部４１全体が前記回路板５の上面の上方にある。このように、前記板ばね４の弾性を利用して前記上板４２を電子デバイス６に接続させることができる。
【０００４】
ところが、近頃、電子部品が段々軽薄になってくるに従い、前記板ばね４の前記回路板５の上面の上方における突出高さを下げる必要があるので、前記上下２枚の板４２、４３の間の距離をなるべく短縮させなければならない。しかしながら、前記上下２枚の板４２，４３の間の距離は前記連続部４１の湾曲アークによらなければならず、また、前記湾曲アークは板ばね自体の弾性限度に限られるので、短縮は板ばね自体の弾力回復可能な限度に挑戦し、限界がかなりあるという問題がある。
【０００５】
なお、このような板ばね４は開口４０が形成してある開放性構造を持っているため、前記電子デバイス６が前記上板４２から脱出する場合や、回路板のテスト検査プロセスにおいて、通常に回路板のテスト結果を記録するためのタグ・カード（図示せず）がひも（図示せず）によって回路板に結びつけられる場合、前記電子デバイスやひもが前記開口４０に引っ掛けられて板ばね４を引っ張って変形させやすいという問題もある。
【考案の開示】
【考案が解決しようとする課題】
【０００６】
上記に鑑みて、本考案の主な目的は、その回路板の上方における高さを下げる上で、弾性をそのまま維持することができる板ばね及び板ばね付き回路板を提供しようとすることにある。
【０００７】
また、本考案の他の目的は、開口のない閉鎖状の構造を持つ板ばねを提供しようとすることにある。
【課題を解決するための手段】
【０００８】
前記目的を達成するために、本考案は、上下両端部を有するループ形で該上下両端部間において開かれた連続部と、該連続部の前記上下両端部からそれぞれ前記開かれた連続部の開口側へほぼ同一の方向に延びてなる上下２枚の板とを有するように、可撓性薄板を曲げて形成された板ばねにおいて、前記連続部は、その前記下板と連続している前記下端部より前記開口側の反対側へ延びて前記下板の平面の延長面の下方へ曲がってから上がり、前記上端部に至るように形成されたことを特徴とする板ばね及びそれを備えている板ばね付き回路板を提供する。
【０００９】
次に、本考案は、前記上板は前記下板より長く延伸し且つ曲がって、該下板の下方まで延伸したことを特徴とする板ばね及びそれを備えている板ばね付き回路板を提供する。
【考案の効果】
【００１０】
上記構成による本考案の板ばねは、前記連続部が、その前記下板と連続している前記下端部より前記開口側の反対側へ延びて前記下板の平面の延長面の下方へ曲がってから上がり、前記上端部となったため、回路板に設置される時、前記連続部を回路板の端縁外側に突出させまたは回路板上の通孔内に緩挿させることができるので、連続部の湾曲アークが回路板の平面を下限としないまま延伸し、即ち板ばねの弾性限度に挑戦しないままで、前記上下２枚の板の距離を短縮させて板ばねの回路板の上面の上方における高さを下げることができる。
【００１１】
即ち、本考案は、他の側面から請求項１の板ばねを、少なくとも平面状の上面と端縁とを有する回路板に設置してなる板ばね付き回路板であって、前記下板が前記回路板の上面に敷設され、前記連続部全体が前記回路板の端縁の外に突出され、板ばねの弾性限度に挑戦しないままで、前記上下２枚の板の距離を短縮させて板ばねの回路板の上面の上方における高さを下げた板ばね付き回路板を提供することができる。
【００１２】
また、本考案は、請求項１の板ばねを、少なくとも平面状の上面と該上面から上下貫通した通孔とを有する回路板に設置してなる板ばね付き回路板であって、
前記下板が前記回路板の上面に敷設され、前記連続部全体が前記上面から前記通孔の前記平面の延長面範囲内に緩挿され、板ばねの弾性限度に挑戦しないままで、前記上下２枚の板の距離を短縮させて板ばねの回路板の上面の上方における高さを下げた板ばね付き回路板を提供することができる。
【００１３】
また、本考案も、前記のように、前記上板が前記下板より長く延伸してから曲がって該下板の下方まで延伸した板ばねを提供することができるので、該板ばねを上面と端縁と該上面から上下貫通した通孔とを有する回路板と合わせ、即ち前記下板が前記回路板の上面に敷設され、前記連続部全体が前記回路板の端縁の外に突出し、且つ、前記上板の自由端縁が前記通孔内に突入している板ばね付き回路板を提供することもできる。このような板ばね付き回路板は、前記連続部が回路板の端縁の外側に突出しているので、連続部の湾曲アークが回路板の平面を下限としないまま回路板の上面の延長面の下方へも延伸し、即ち板ばねの弾性限度に挑戦しないままで弾力回復性の良い範囲内にアークを描きながら、連続部の半分位の体積を回路板の上面の延長面の下方に収容させ、前記上下２枚の板の距離を短縮させると同時に、板ばねの回路板の上面の上方における高さを下げることができるのみならず、前記上板の自由端縁が前記通孔内に挿入して前記上下２枚の板が挟んでなる隙間を遮蔽することができるので、前記板ばねが閉鎖状構造になり、電子デバイスやタグ・カードを結びつけているひもに引っ張られて変形させられることをも防止することもできる。
【００１４】
即ち、本考案は、他の側面から請求項３の板ばねを、少なくとも平面状の上面と端縁と該上面から上下貫通した通孔とを有する回路板に設置してなる板ばね付き回路板であって、前記下板が前記回路板の上面に敷設され、前記連続部全体が前記回路板の端縁の外に突出し、且つ、前記上板の自由端縁が前記通孔内に挿入され、前記上下２枚の板が挟んでなる隙間が遮蔽されて、前記板ばねが閉鎖状構造になり、電子デバイスやタグ・カードを結びつけているひもに引っ張られて変形させられることをも防止することもできる、板ばね付き回路板を提供することができる。
【考案を実施するための最良の形態】
【００１５】
以下、図面を参照しながら、本考案の好ましい実施形態を説明する。図３に示すのは、本考案の第１の実施形態である。図示のように、本実施形態の板ばね１は、上下両端部１１１，１１２（上端部１１１,下端部１１２）を有するループ形で、該上下両端部１１１と下端部１１２の間において開かれた連続部１１と、該連続部１１の前記上下両端部１１１，１１２からそれぞれ前記開かれた連続部１１の側へほぼ同一の方向に延びてなる上下２枚の板１２，１３（上板１２,下板１３）を有するように、可撓性の良い金属薄板を、プレス加工で、曲げて形成されている。
【００１６】
また、前記連続部１１は、その前記下板１３と連続している前記下端部１１２より前記開口側の反対側に延びて前記下板１３の平面の延長面の下方へ曲がってから上がり、アークを描いてから前記上端部１１１に至るように形成されている。
【００１７】
前記連続部１１全体は、前記上板１２の平面たる下面の延長面の下方にある。前記連続部１１のループの形状は側面円弧状である。前記上下２枚の板、即ち上板１２，下板１３は、それぞれ平板状であり、且つ該上下２枚の板１２，１３が挟んでなる隙間１０は、前記上下両端部１１１，１１２の方より段々外へ向かうに従って拡大している。
【００１８】
そして、図４を参照して、本実施形態の板ばね１の使用例について説明する。
前記板ばね１は、弾性的乃至電気的な接続をするためのものとして回路板２に用いられている。該回路板２は、平面状の上面２１と端縁２０とを有する。
【００１９】
前記下板１３は、その下面において前記回路板２の上面２１に敷設され、前記連続部１１全体は、前記回路板２の端縁２０の外に突出している。このように、前記板ばね１の弾性を利用して、前記上板１２は電子デバイス３に接続させることができる。
【００２０】
本使用例において、前記連続部１１全体は、前記回路板２の端縁２０の外に突出しているので、前記連続部１１の湾曲アークが前記回路板２の平面たる上面２１を下限としないまま回路板２の上面２１の延長面の下方へも延伸し、即ち、板ばね１の弾性限度に挑戦しないままで、弾力回復性の良い範囲内にアークを描きながら、連続部１１の半分位の体積を回路板２の上面２１の延長面の下方に収容させ、前記上下２枚の板１２，１３の距離を短縮させると同時に、前記板ばね１の前記回路板２の上面２１上方における高さを下げることができる。
【００２１】
次に、図５に示すのは前記第１の実施形態の他の使用例である。
本使用例において、前記回路板２は、上面２１から上下貫通した通孔２２が形成されており、前記連続部１１全体が前記上面２１から前記通孔２２の前記平面たる上面２１の延長面の範囲内に緩挿している。
【００２２】
本使用例において、前記連続部１１全体が前記上面２１から前記通孔２２の前記平面たる上面２１の延長面の範囲内に緩挿しているので、前記連続部１１の湾曲アークが前記回路板２の平面たる上面２１を下限としないまま回路板２の上面２１の延長面の下方へも延伸し、即ち板ばね１の弾性限度に挑戦しないままで弾力回復性の良い範囲内にアークを描きながら、連続部１１の半分位の体積を回路板２の上面２１の延長面の下方に収容させ、前記上下２枚の板１２，１３の距離を短縮させると同時に、前記板ばね１の前記回路板２の上面２１上方における高さを下げることができる。
【００２３】
次に、図６を参照しながら、本考案の第２の実施形態及びその使用例を説明する。本実施形態の板ばね１ａの前記第１の実施形態と異なる点は、上板１２ａが下板１３より長く延伸してから曲がって該下板１３の下方まで延伸したことにある。
【００２４】
そして、この板ばね１ａの使用例を説明する。この板ばね１ａは、平面状の上面２１ａと該上面２１ａから上下貫通した通孔２２ａとを有する回路板２ａに設置されている。連続部１１全体は、前記上面２１ａから前記通孔２２ａの前記平面たる上面２１ａの延長面の範囲内に挿入している。それにより、前記上板１２ａの自由端縁１２１が前記通孔２２ａ内に挿入されて前記上下２枚の板１２ａ，１３が挟んでなる隙間や開口を遮蔽することができる。
【００２５】
従って、本実施形態の板ばね１ａは、連続部１１の湾曲アークが回路板２ａの平面を下限としないまま回路板２ａの上面２１ａの延長面の下方へも延伸し、即ち板ばねの弾性限度に挑戦しないままで弾性の良い範囲内にアークを描きながら、連続部１１の半分位の体積を回路板２ａの上面２１ａの延長面の下方に収容させ、前記上下２枚の板１２ａ，１３の距離を短縮させると同時に、前記板ばね１ａの回路板２ａの上面の上方における高さを下げることができるのみならず、電子デバイスやタグ・カードを結びつけているひもに引っ張られて変形させられることをも防止することもできる。
【００２６】
なお、本実施形態の板ばねの前記第１の実施形態と同様な構造は、同一の符号を付してその説明を省略する。
【産業上の利用可能性】
【００２７】
上記のように、本考案は、その回路板の上方における高さを下げる上で、弾力回復性をそのまま維持することができる板ばね及び板ばね付き回路板を提供することができるので、軽薄型になる電子部品に適用することができる。
【図面の簡単な説明】
【００２８】
【図１】従来の板ばねが設置された回路板を示す斜視図
【図２】前記図１の板ばねに電子デバイスが接続された状態を示す側面図
【図３】本考案の板ばねの第１の実施形態を示す斜視図
【図４】前記第１の実施形態の板ばねの使用例を示す側面図
【図５】前記第１の実施形態の板ばねの他の使用例を示す側面図
【図６】本考案の板ばねの第２の実施形態における使用例を示す側面図
【符号の説明】
【００２９】
１，１ａ，４  板ばね
１０，４０  隙間
１１，４１  連続部
１１１，４１１  上端部
１１２，４１２  下端部
１２，１２ａ，４２  上板
１２１  自由端縁
１３，４３  下板
２，２ａ，５  回路板
２０  端縁
２１，２１ａ  上面
２２，２２ａ  通孔
３，６  電子デバイス
【図１】
0003100701.tif 000003
【図２】
0003100701.tif 000004
【図３】
0003100701.tif 000005
【図４】
0003100701.tif 000006
【図５】
0003100701.tif 000007
【図６】
0003100701.tif 000008